【事件の表示】
　平成　４年特許願第　９７５９０号「コンバインのモニター」拒絶査定不服審判事件〔平成　５年１１月　９日出願公開、特開平　５−２９２８２４〕について、次のとおり審決する。
【結　論】
　本件審判の請求は、成り立たない。
【理　由】
第１．手続の経緯・本願発明
　本願は、平成４年４月１７日の出願であって、その請求項１に係る発明（以下、「本願発明」という。）は、平成１６年１０月２９日付け手続補正書により全文補正された明細書の特許請求の範囲の請求項１に記載された次のとおりのものである。
「【請求項１】  走行装置４を備えた機体フレーム３に植立穀稈を刈取る刈取装置５や刈取穀稈を脱穀する脱穀装置６を設け、該機体フレーム３上には脱穀装置６からの穀粒を受けて貯留する穀粒タンク１１を設けたコンバインにおいて、エンジンオイルプレッシャのチェックを行うオイルプレッシャセンサ１７と、バッテリチャージ電圧のチェックを行うチャージ電圧センサ１８と、エンジンの回転数をチェックするエンジン回転センサ２０と、穀粒タンク１１に上下に段階的に設けた穀粒タンクセンサ２１ａ，２１ｂ，２１ｃ，２１ｄ，２１ｅと、異常発生時に警告を行う警告灯２と、異常項目を表示できるＬＣＤ表示器１とを設けて、エンジンオイルプレッシャ異常やバッテリチャージ電圧異常やエンジン回転センサ２０の異常のいずれの異常も発生していない場合には、エンジンキーのＯＮ直後に「オイルプレッシャ」の文字と「チャージデンアツ」の文字と「グロー」の文字と「グローＯＫ」の文字とをこの順にＬＣＤ表示器１に表示し、前記「グローＯＫ」の文字が表示されている状態でエンジンスタータをＯＮさせてエンジンを始動しこの後エンジンスタータをＯＦＦさせた状態において、正常である場合にはＬＣＤ表示器１に「モニター標識」の文字を表示した後に該ＬＣＤ表示器１に表示した穀粒タンクの絵に前記各穀粒タンクセンサ２１ａ，２１ｂ，２１ｃ，２１ｄ，２１ｅに対応させた穀粒貯留レベルを目盛線２６によって段階的に表示し、エンジンオイルプレッシャに異常がある場合にはＬＣＤ表示器１に「オイルプレッシャ」の文字を表示すると共に警告灯２を点灯し、バッテリチャージ電圧に異常がある場合にはＬＣＤ表示器１に「チャージデンアツ」の文字を表示すると共に警告灯２を点灯し、エンジン回転センサ２０に異常がある場合にはＬＣＤ表示器１に「エンジンセンサ」の文字を表示すると共に警告灯２を点灯させるように構成したことを特徴とするコンバインのモニター。」
　
第２．引用刊行物
　これに対して、当審の拒絶の理由に引用され、この出願の日前に頒布された下記の刊行物には、それぞれ以下の事項が記載されている。
　
刊行物Ａ： 実願昭５９−８９０１号（実開昭６０−１２２２４２号）の
　　　　　マイクロフィルム（当審の拒絶の理由に引用された刊行物２）
刊行物Ｂ： 実願平１−１０１５４１号（実開平３−４１５２９号）の
　　　　　マイクロフィルム（当審の拒絶の理由に引用された刊行物３）
　
（１）刊行物Ａ（実願昭５９−８９０１号（実開昭６０−１２２２４２号）のマイクロフィルム） 
(A-1)
「この考案では、・・・文字及び数字の表示ができる表示器を、運転部前方の操作盤に配設し、同表示器を、・・・駆動し、・・・一個の表示器によってすべての表示を行わせる・・・コンバインの表示器を提供せんとするものである。」（２頁１０−２０行）
(A-2)
「（Ａ）はコンバインを示しており、走行部としてのクローラ（１）を装備した走行フレーム（２）の上方に機体フレーム（３）を設け、同フレーム（３）の前方に刈取部（４）を配設し、刈取部（４）で刈取った穀稈を、・・・同フレーム（３）略中間部に設けた脱穀部（７）で脱穀し、・・・穀粒は・・・選別され、精粒を・・・機体フレーム（３）右側上部に配設した籾収納ホッパー（１０）に収納するように構成しており、」（３頁２−１６行）
(A-3)
「キャラクタ表示器（１５）は、・・・液晶ドット（１７）で構成されており、同ドット（１７）は、ドライブ回路（１８）に接続しており、同回路（１８）は、キャラクタゼネレータ（１９）からの信号を増巾して同表示器（１５）を作動させるものであり、同ゼネレータ（１９）は、・・・あらかじめ記憶した文字・・・パターン信号を出力するものであり、マイクロプロセッサ（２０）の入力端子（２１）には、各作動部に配設した作動状態を示すセンサー、例えばエンジンの回転数センサー（２２）からの出力が、・・・入力しており、更に、同プロセッサ（２０）の割り込み端子（２４）には、各作動部の異常発生を検出するセンサー、例えば、油圧低下時に出力する油圧スイッチ（２５）、充電電圧低下時に出力する電圧スイッチ（２６）・・・等からの出力が・・・入力しており、・・・各作動部のセンサーからの出力に、同作動部の重要度に応じたプライオリティが与えられている。また、マイクロプロセッサ（２０）からは、異常発生時に増巾器（２９）を介してブザー（３０）に出力することができ、同ブザー（３０）作動のみを停止させることもできる」（４頁７行−５頁１５行）
(A-4)
「この考案の実施例は上記のように構成されており、コンバイン（Ａ）の各作動部が正常に作動しているときは、各作動部の異常を検出するセンサーからの出力がないので、表示器（１５）にはエンジンの回転数がデジタル表示されている。
　各作動部に以上（「異常」の誤記と認められる。）が発生したときは、同センサーからの出力は、・・・表示器に、異常が発生した作動部のキャラクタを表示するものである。」（６頁７−１９行）
(A-5)
「この考案によれば、・・・キャラクタ表示器を配設し、同表示器を、コンバインの各作動部に異状があるときは、異常箇所を表示し、各部に異状がないときは、エンジンの回転数などの運転状況を表示するように構成する」（８頁６−１１行）
(A-6)
「油圧異常表示の場合は、キャラクタ表示器（１５）に「ＯＩＬ」の文字を表示する」点。（図面第４図）
 　
　上記の記載からみて、
　刊行物Ａには、
「クローラ（１）を備えた機体フレーム（３）に刈取部（４）や脱穀部（７）を設け、該機体フレーム（３）上には籾収納ホッパー（１０）を設けたコンバイン（Ａ）において、油圧低下時に出力する油圧スイッチ（２５）と、充電電圧低下時に出力する電圧スイッチ（２６）と、エンジンの回転数センサー（２２）と、異常発生時に作動するブザー（３０）と、異常が発生した作動部のキャラクタを表示できる液晶ドット（１７）で構成されているキャラクタ表示器（１５）とを設けて、各作動部が正常に作動しているときは、キャラク表示器（１５）にエンジンの回転数がデジタル表示され、油圧低下時及び充電電圧低下時は、キャラク表示器（１５）に異常が発生した作動部のキャラクタを表示すると共にブザー（３０）を作動させるように構成したコンバイン（Ａ）の表示器。」の発明（以下、「引用発明」という。）が記載され、
　実施例として、
「油圧に異状がある場合にはキャラク表示器（１５）に「ＯＩＬ」の文字を表示する」点が記載されていると認められる。
　
（２）刊行物Ｂ（実願平１−１０１５４１号（実開平３−４１５２９号）のマイクロフィルム）
(B-1)
「第２図はコンバインの操作部１を示す部分斜視図である。運転席３の前方には操作パネル５が設けられ、・・・操作パネル５の運転席３に対向した部分には表示画面１３が配置されており、・・・各種の画面が表示される。」（４頁３−１２行）
(B-2)
「表示装置１９の表示画面１３は・・・液晶画面などを利用する。」（４頁下から２−１行）
(B-3)
「作業中の画面では、・・・穀粒タンクの残り容量などを表示する。」（１０頁３−５行）
　
第３．対比
　本願発明と引用発明とを対比する。
　引用発明の「クローラ（１）」、「刈取部（４）」、「脱穀部（７）」、「籾収納ホッパー（１０）」、「油圧低下時に出力する油圧スイッチ（２５）」、「充電電圧低下時に出力する電圧スイッチ（２６）」、「異常が発生した作動部のキャラクタを表示できる液晶ドット（１７）で構成されているキャラクタ表示器（１５）」、「油圧低下時」、「充電電圧低下時」、「コンバイン（Ａ）の表示器」は、それぞれ、本願発明の「走行装置４」、「植立穀稈を刈取る刈取装置５」、「刈取穀稈を脱穀する脱穀装置６」、「脱穀装置６からの穀粒を受けて貯留する穀粒タンク１１」、「エンジンオイルプレッシャのチェックを行うオイルプレッシャセンサ１７」、「バッテリチャージ電圧のチェックを行うチャージ電圧センサ１８」、「異常項目を表示できるＬＣＤ表示器１」、「エンジンオイルプレッシャに異常がある場合」、「バッテリチャージ電圧に異常がある場合」、「コンバインのモニター」に対応し、
　引用発明の「異常発生時に作動するブザー（３０）」と本願発明の「異常発生時に警告を行う警告灯２」とは、いずれも「異常発生時に警告を行う装置」である点で共通し、引用発明の「ブザー（３０）を作動」させると本願発明の「警告灯２を点灯」させるとは、いずれも「警告を行う装置を作動」させる点で共通し、
　異常が発生した場合に表示器に表示される、引用発明の「作動部のキャラクタ」と、本願発明の「「オイルプレッシャ」の文字」及び「「チャージデンアツ」の文字」とは、いずれも「異常箇所を認識するためのキャラクタ」である点で共通している。
　したがって、両者の一致点及び相違点は次のとおりである。
　
　＜一致点＞ 
「走行装置を備えた機体フレームに植立穀稈を刈取る刈取装置や刈取穀稈を脱穀する脱穀装置を設け、該機体フレーム上には脱穀装置からの穀粒を受けて貯留する穀粒タンクを設けたコンバインにおいて、エンジンオイルプレッシャのチェックを行うオイルプレッシャセンサと、バッテリチャージ電圧のチェックを行うチャージ電圧センサと、異常発生時に警告を行う装置と、異常項目を表示できるＬＣＤ表示器とを設けて、エンジンオイルプレッシャに異常がある場合にはＬＣＤ表示器に異常箇所を認識するためのキャラクタを表示すると共に警告を行う装置を作動し、バッテリチャージ電圧に異常がある場合にはＬＣＤ表示器に異常箇所を認識するためのキャラクタを表示すると共に警告を行う装置を作動させるように構成したコンバインのモニター。」
　＜相違点＞
　（１）本願発明では、「穀粒タンク１１に上下に段階的に設けた穀粒タンクセンサ２１ａ，２１ｂ，２１ｃ，２１ｄ，２１ｅ」を設けているのに対して、引用発明では、穀粒タンクセンサを設けていない点。
　（２）本願発明では、「 エンジンオイルプレッシャ異常やバッテリチャージ電圧異常やエンジン回転センサ２０の異常のいずれの異常も発生していない場合には、エンジンキーのＯＮ直後に「オイルプレッシャ」の文字と「チャージデンアツ」の文字と「グロー」の文字と「グローＯＫ」の文字とをこの順にＬＣＤ表示器１に表示し、前記「グローＯＫ」の文字が表示されている状態でエンジンスタータをＯＮさせてエンジンを始動しこの後エンジンスタータをＯＦＦさせた状態において、正常である場合にはＬＣＤ表示器１に「モニター標識」の文字を表示した後に該ＬＣＤ表示器１に表示した穀粒タンクの絵に前記各穀粒タンクセンサ２１ａ，２１ｂ，２１ｃ，２１ｄ，２１ｅに対応させた穀粒貯留レベルを目盛線２６によって段階的に表示し」てなるのに対して、引用発明では、各作動部が正常に作動しているときは、キャラク表示器（１５）にエンジンの回転数がデジタル表示され、穀粒貯留レベルを表示しない点。
　（３）異常発生時に警告を行う装置が、本願発明では「警告灯２」であるのに対して、引用発明では「ブザー（３０）」であり、
　本願発明では、エンジンオイルプレッシャに異常がある場合には、ＬＣＤ表示器に「「オイルプレッシャ」の文字を表示すると共に警告灯２を点灯し」、バッテリチャージ電圧に異常がある場合には、ＬＣＤ表示器に「「チャージデンアツ」の文字を表示すると共に警告灯２を点灯し」てなるのに対して、引用発明では、いずれの場合も、ＬＣＤ表示器に異常が発生した作動部のキャラクタを表示すると共にブザー（３０）を作動させ、
　本願発明では、「エンジンの回転数をチェックするエンジン回転センサ２０を設けて、エンジン回転センサ２０に異常がある場合にはＬＣＤ表示器１に「エンジンセンサ」の文字を表示すると共に警告灯２を点灯させる」のに対して、引用発明では、このような構成は設けていない点。
　
第４．当審の判断
　上記相違点について検討する。
　　＜相違点（１）について＞
　穀粒タンクに上下に段階的に設けた穀粒タンクセンサを設ける点は周知技術（下記の〔周知例〕を参照。）であるから、上記相違点（１）に係る本願発明の構成は、引用発明に上記周知技術を適用して当業者が容易に想到し得ることと認められる。
　〔周知例〕
　ａ．特開昭５５−１４１１２５号公報
　ｂ．実願昭６１−２４０８２号（実開昭６２−１３６１４５号）の
　　　マイクロフィルム
　ｃ．実願昭６２−１２５４７８号（実開昭６４−２８８４９号）の
　　　マイクロフィルム
　　＜相違点（２）について＞
　ｉ．本願発明の、「エンジンオイルプレッシャ異常やバッテリチャージ電圧異常やエンジン回転センサ２０の異常のいずれの異常も発生していない場合には、エンジンキーのＯＮ直後に「オイルプレッシャ」の文字と「チャ−ジデンアツ」の文字と「グロー」の文字と「グローＯＫ」の文字とをこの順にＬＣＤ表示器１に表示し、前記「グローＯＫ」の文字が表示されている状態でエンジンスタータをＯＮさせてエンジンを始動しこの後エンジンスタータをＯＦＦさせた状態において、正常である場合にはＬＣＤ表示器１に「モニター標識」の文字を表示した」点は、明細書の記載をみるも格別の技術的意義が認められないので、当業者が必要に応じて適宜になし得る設計的事項にすぎない。
　ii．そして、本願発明の、「モニター標識」の文字を表示した「後に該ＬＣＤ表示器１に表示した穀粒タンクの絵に前記各穀粒タンクセンサ２１ａ，２１ｂ，２１ｃ，２１ｄ，２１ｅに対応させた穀粒貯留レベルを目盛線２６によって段階的に表示し」てなる点は、各穀粒タンクセンサに対応させた穀粒貯留レベルを段階的に表示してなる点が周知技術である（上記の〔周知例〕を参照。）こと、穀粒タンクの残り容量を液晶画面に表示する点が上記刊行物Ｂに記載されていること、穀粒タンクの残り容量を液晶画面に表示する場合に、どのような表示キャラクタの後でどのようなキャラクタで表示するかということは当業者が任意に設定し得る設計的事項にすぎないことから、当業者が容易に想到し得ることである。
　iii．したがって、上記相違点（２）に係る本願発明の構成は、引用発明に上記刊行物Ｂに記載された発明及び上記周知技術を適用して当業者が容易に想到し得ることである。
　　＜相違点（３）について＞
　ｉ．異常発生時に警告を行う装置として「警告灯」は引用例を挙げるまでもなく周知であるので、引用発明において、ブザーに代えて「警告灯」とすること、及び、ブザーを作動させることに代えて「警告灯を点灯させる」ことは、当業者であれば必要に応じて適宜になし得る設計的事項にすぎない。
　ii．引用発明を認定した上記刊行物Ａには、実施例として、「油圧に異状がある場合にはキャラク表示器（１５）に「ＯＩＬ」の文字を表示する」点が記載されており、どのような文字とするかは当業者が任意に設定し得る設計的事項にすぎないので、引用発明において、異常が発生した作動部のキャラクタとして、エンジンオイルプレッシャに異常がある場合及びバッテリチャージ電圧に異常がある場合には、それぞれ「オイルプレッシャ」及び「チャージデンアツ」の文字を表示する点は、当業者が任意に設定し得る設計的事項にすぎない。
　iii．エンジンの回転数をチェックするエンジン回転センサは引用例を挙げるまでもなく周知技術であり、引用発明は異常が発生した作動部のキャラクタを表示できるＬＣＤ表示器を設けたものであるから、引用発明において、周知技術のエンジン回転センサを設け、エンジン回転センサに異常がある場合にはＬＣＤ表示器に表示する点は、当業者であれば容易に想到し得ることであり、ＬＣＤ表示器に表示する異常が発生した作動部のキャラクタとして「エンジンセンサ」の文字を表示する点は、当業者が任意に設定し得る設計的事項にすぎない。
　iv．したがって、上記相違点（３）に係る本願発明の構成は、引用発明に上記周知技術を適用して当業者が容易に想到し得ることである。
　
　そして、本願発明によって奏せられる効果は、引用発明（上記刊行物Ａに記載された発明）、上記刊行物Ｂに記載された発明及び上記周知技術によって奏せられる効果と比較して格別顕著なものともいえない。
　
第５．むすび
　以上のとおりであるので、本願発明は、上記刊行物Ａ、Ｂに記載された発明及び上記周知技術に基いて当業者が容易に発明をすることができたものであるので、特許法第２９条第２項の規定により特許を受けることができない。
　よって、結論のとおり審決する。